(57)【要約】【課題】用途に応じて液体に対する最適な流量の圧縮気体を供給することが可能な気液混合体噴射装置の制御システムの提供。【解決手段】圧縮気体の供給を開始する際の液体の流量（供給開始液体流量）および圧縮気体の流量（供給開始気体流量）を設定する供給開始流量設定手段２１と、圧縮気体の供給を最大とする際の液体の流量（供給最大液体流量）および圧縮気体の最大流量（供給最大気体流量）を設定する供給最大流量設定手段２３と、液体流量センサー１０により検出される液体の流量が供給開始液体流量以上かつ供給最大液体流量以下の場合に、気体流量センサー１１により検出される圧縮気体の流量が供給開始気体流量から供給最大気体流量までの間で液体の流量に応じて増加するように気体流量調整バルブ１２を制御する制御手段１３とを含む。【選択図】図２
2017140570.tif 000002
【特許請求の範囲】
【請求項１】
圧縮気体と液体とからなる気液混合体を形成する気液混合体噴射装置の制御システムであって、
前記気液混合体噴射装置に供給される液体の流量を検出する液体流量センサーと、
前記気液混合体噴射装置に供給される圧縮気体の流量を検出する気体流量センサーと、
前記気液混合体噴射装置に供給される圧縮気体の流量を調整する気体流量調整バルブと、
前記圧縮気体の供給を開始する際の前記液体の流量（以下、「供給開始液体流量」と称す。）および前記圧縮気体の流量（以下、「供給開始気体流量」と称す。）を設定する供給開始流量設定手段と、
前記圧縮気体の供給を最大とする際の前記液体の流量（以下、「供給最大液体流量」と称す。）および前記圧縮気体の最大流量（以下、「供給最大気体流量」と称す。）を設定する供給最大流量設定手段と、
前記液体流量センサーにより検出される前記液体の流量が前記供給開始液体流量以上かつ前記供給最大液体流量以下の場合に、前記気体流量センサーにより検出される前記圧縮気体の流量が前記供給開始気体流量から前記供給最大気体流量までの間で前記液体の流量に応じて増加するように前記気体流量調整バルブを制御する制御手段と
を含む気液混合体噴射装置の制御システム。
【請求項２】
さらに、前記供給開始液体流量以上かつ前記供給最大液体流量以下の前記液体の流量（以下、「設定液体流量」と称す。）および前記設定液体流量における前記圧縮気体の流量（以下、「設定気体流量」と称す。）を設定する設定流量設定手段を含み、
前記制御手段が、前記液体流量センサーにより検出される前記液体の流量が前記供給開始液体流量以上かつ前記設定液体流量以下の場合には、前記気体流量センサーにより検出される前記圧縮気体の流量が前記供給開始気体流量から前記設定気体流量までの間で前記液体の流量に応じて増加するように前記気体流量調整バルブを制御し、前記液体流量センサーにより検出される前記液体の流量が前記設定液体流量以上かつ前記供給最大液体流量以下の場合に、前記気体流量センサーにより検出される前記圧縮気体の流量が前記設定気体流量から前記供給最大気体流量までの間で前記液体の流量に応じて増加するように前記気体流量調整バルブを制御するものである
請求項１記載の気液混合体噴射装置の制御システム。
【請求項３】
さらに、前記供給開始液体流量以上かつ前記供給最大液体流量以下の複数の前記液体の流量（以下、「設定液体流量」と称す。）および前記複数の設定液体流量におけるそれぞれの前記圧縮気体の流量（以下、「設定気体流量」と称す。）を設定する設定流量設定手段を含み、
前記制御手段が、前記液体流量センサーにより検出される前記液体の流量が前記供給開始液体流量以上かつ前記複数の設定液体流量のうち最低の設定液体流量以下の場合には、前記気体流量センサーにより検出される前記圧縮気体の流量が前記供給開始気体流量から前記最低の設定気体流量までの間で前記液体の流量に応じて増加するように前記気体流量調整バルブを制御し、前記液体流量センサーにより検出される前記液体の流量が前記複数の設定液体流量のうち最大の設定液体流量以上かつ前記供給最大液体流量以下の場合には、前記気体流量センサーにより検出される前記圧縮気体の流量が前記最大の設定気体流量から前記供給最大気体流量までの間で前記液体の流量に応じて増加するように前記気体流量調整バルブを制御し、前記液体流量センサーにより検出される前記液体の流量が前記最低の設定液体流量以上かつ前記最大の設定液体流量以下の場合には、前記気体流量センサーにより検出される前記圧縮気体の流量が前記最低の設定気体流量から前記最大の設定気体流量までの間でそれぞれの設定気体流量におけるそれぞれの設定液体流量となるように前記液体の流量に応じて増加するように前記気体流量調整バルブを制御するものである
請求項１記載の気液混合体噴射装置の制御システム。
【請求項４】
前記制御手段が、前記液体流量センサーにより検出される前記液体の流量が前記供給最大液体流量以上の場合に、前記気体流量センサーにより検出される前記圧縮気体の流量が前記供給最大気体流量となるように前記気体流量調整バルブを制御するものである請求項１から３のいずれか１項に記載の気液混合体噴射装置の制御システム。
【請求項５】
さらに、前記圧縮気体の供給を停止する際の前記液体の流量（以下、「供給停止液体流量」と称す。）および前記圧縮気体の流量（以下、「供給停止気体流量」と称す。）を設定する供給停止流量設定手段を含み、
前記制御手段が、前記液体流量センサーにより検出される前記液体の流量が前記供給停止液体流量以上の場合に、前記気体流量調整バルブを閉とするものである請求項１から４のいずれか１項に記載の気液混合体噴射装置の制御システム。
【発明の詳細な説明】
【技術分野】
【０００１】
本発明は、圧縮気体と液体とからなる気液混合体を形成する気液混合体噴射装置の制御システムに関する。
【背景技術】
【０００２】
例えば特許文献１に記載のように、主に食器洗浄等に用いられる圧縮空気と水からなる気液混合体を形成するための洗浄水噴射装置が知られている。この洗浄水噴射装置では、従来の水道栓からの吐水に圧縮空気を付加するだけで、静穏性を有しながら、高い洗浄力を有しつつ、節水効果も有する気液混合体を噴射させることが可能となっている。
【先行技術文献】
【特許文献】
【０００３】
【特許文献１】特開２０１３−８６０８４号公報
【発明の概要】
【発明が解決しようとする課題】
【０００４】
ところで、上記洗浄水噴射装置では、静穏性、洗浄力および節水効果を十分に発揮させるためには、圧縮空気や洗浄水の流量の調整を行う必要があるが、節水性および静穏性を重視するか、洗浄力を重視するか等、その用途に応じて条件が異なる。また、同じ用途であっても洗浄水の流量によって最適な圧縮空気の流量は変化するため、実際に利用者が流量を調整することは難しい。
【０００５】
そこで、本発明は、圧縮空気等の圧縮気体と水等の液体とからなる気液混合体を形成するための洗浄水噴射装置において、用途に応じて液体に対する最適な流量の圧縮気体を供給することが可能な気液混合体噴射装置の制御システムを提供することを目的とする。
【課題を解決するための手段】
【０００６】
本発明の気液混合体噴射装置の制御システムは、圧縮気体と液体とからなる気液混合体を形成する気液混合体噴射装置の制御システムであって、気液混合体噴射装置に供給される液体の流量を検出する液体流量センサーと、気液混合体噴射装置に供給される圧縮気体の流量を検出する気体流量センサーと、気液混合体噴射装置に供給される圧縮気体の流量を調整する気体流量調整バルブと、圧縮気体の供給を開始する際の液体の流量（以下、「供給開始液体流量」と称す。）および圧縮気体の流量（以下、「供給開始気体流量」と称す。）を設定する供給開始流量設定手段と、圧縮気体の供給を最大とする際の液体の流量（以下、「供給最大液体流量」と称す。）および圧縮気体の最大流量（以下、「供給最大気体流量」と称す。）を設定する供給最大流量設定手段と、液体流量センサーにより検出される液体の流量が供給開始液体流量以上かつ供給最大液体流量以下の場合に、気体流量センサーにより検出される圧縮気体の流量が供給開始気体流量から供給最大気体流量までの間で液体の流量に応じて増加するように気体流量調整バルブを制御する制御手段とを含むものである。
【０００７】
本発明の気液混合体噴射装置の制御システムによれば、圧縮気体の供給を開始する際の液体の供給開始液体流量および圧縮気体の供給開始気体流量と、圧縮気体の供給を最大とする際の液体の供給最大液体流量および圧縮気体の供給最大気体流量とを設定するだけで、液体流量センサーにより検出される液体の流量が供給開始液体流量以上かつ供給最大液体流量以下の場合に、気体流量センサーにより検出される圧縮気体の流量が供給開始気体流量から供給最大気体流量までの間で液体の流量に応じて増加するように気体流量調整バルブが制御され、気液混合体噴射装置に供給される液体の流量に応じた流量の圧縮気体が自動的に供給される。
【０００８】
本発明の気液混合体噴射装置の制御システムは、さらに、供給開始液体流量以上かつ供給最大液体流量以下の液体の流量（以下、「設定液体流量」と称す。）および設定液体流量における圧縮気体の流量（以下、「設定気体流量」と称す。）を設定する設定流量設定手段を含み、制御手段が、液体流量センサーにより検出される液体の流量が供給開始液体流量以上かつ設定液体流量以下の場合には、気体流量センサーにより検出される圧縮気体の流量が供給開始気体流量から設定気体流量までの間で液体の流量に応じて増加するように気体流量調整バルブを制御し、液体流量センサーにより検出される液体の流量が設定液体流量以上かつ供給最大液体流量以下の場合に、気体流量センサーにより検出される圧縮気体の流量が設定気体流量から供給最大気体流量までの間で液体の流量に応じて増加するように気体流量調整バルブを制御するものであることが望ましい。
【０００９】
これにより、さらに、供給開始液体流量以上かつ供給最大液体流量以下の液体の設定液体流量およびこの設定液体流量における圧縮気体の設定気体流量を設定するだけで、液体流量センサーにより検出される液体の流量が供給開始液体流量以上かつ設定液体流量以下の場合には、気体流量センサーにより検出される圧縮気体の流量が供給開始気体流量から設定気体流量までの間で液体の流量に応じて増加するように気体流量調整バルブが制御され、液体流量センサーにより検出される液体の流量が設定液体流量以上かつ供給最大液体流量以下の場合に、気体流量センサーにより検出される圧縮気体の流量が設定気体流量から供給最大気体流量までの間で液体の流量に応じて増加するように気体流量調整バルブが制御され、気液混合体噴射装置に供給される液体の流量に応じて設定気体流量を経て段階的に変化する流量の圧縮気体が自動的に供給される。
【００１０】
あるいは、本発明の気液混合体噴射装置の制御システムは、さらに、供給開始液体流量以上かつ供給最大液体流量以下の複数の液体の流量（設定液体流量）および複数の設定液体流量におけるそれぞれの圧縮気体の流量（設定気体流量）を設定する設定流量設定手段を含み、制御手段が、液体流量センサーにより検出される液体の流量が供給開始液体流量以上かつ複数の設定液体流量のうち最低の設定液体流量以下の場合には、気体流量センサーにより検出される圧縮気体の流量が供給開始気体流量から最低の設定気体流量までの間で液体の流量に応じて増加するように気体流量調整バルブを制御し、液体流量センサーにより検出される液体の流量が複数の設定液体流量のうち最大の設定液体流量以上かつ供給最大液体流量以下の場合には、気体流量センサーにより検出される圧縮気体の流量が最大の設定気体流量から供給最大気体流量までの間で液体の流量に応じて増加するように気体流量調整バルブを制御し、液体流量センサーにより検出される液体の流量が最低の設定液体流量以上かつ最大の設定液体流量以下の場合には、気体流量センサーにより検出される圧縮気体の流量が最低の設定気体流量から最大の設定気体流量までの間でそれぞれの設定気体流量におけるそれぞれの設定液体流量となるように液体の流量に応じて増加するように気体流量調整バルブを制御するものであることが望ましい。
【００１１】
これにより、さらに、供給開始液体流量以上かつ供給最大液体流量以下の複数の液体の設定液体流量および複数の設定液体流量におけるそれぞれの圧縮気体の流量（以下、「設定液体流量」と称す。）を設定するだけで、液体流量センサーにより検出される液体の流量が供給開始液体流量以上かつ複数の設定液体流量のうち最低の設定液体流量以下の場合には、気体流量センサーにより検出される圧縮気体の流量が供給開始気体流量から最低の設定気体流量までの間で液体の流量に応じて増加するように気体流量調整バルブが制御され、液体流量センサーにより検出される液体の流量が複数の設定液体流量のうち最大の設定液体流量以上かつ供給最大液体流量以下の場合には、気体流量センサーにより検出される圧縮気体の流量が最大の設定気体流量から供給最大気体流量までの間で液体の流量に応じて増加するように気体流量調整バルブが制御され、液体流量センサーにより検出される液体の流量が最低の設定液体流量以上かつ最大の設定液体流量以下の場合には、気体流量センサーにより検出される圧縮気体の流量が最低の設定気体流量から最大の設定気体流量までの間でそれぞれの設定気体流量におけるそれぞれの設定液体流量となるように液体の流量に応じて増加するように気体流量調整バルブが制御され、気液混合体噴射装置に供給される液体の流量に応じて複数の設定気体流量を経て段階的に変化する流量の圧縮気体が自動的に供給される。
【００１２】
また、本発明の気液混合体噴射装置は、制御手段が、液体流量センサーにより検出される液体の流量が供給最大液体流量以上の場合に、気体流量センサーにより検出される圧縮気体の流量が供給最大気体流量となるように気体流量調整バルブを制御するものであることが望ましい。これにより、液体流量センサーにより検出される液体の流量が供給最大液体流量以上の場合には、気体流量センサーにより検出される圧縮気体の流量が供給最大気体流量となるように気液流体調整バルブが制御され、気液混合体噴射装置に供給される圧縮気体の流量が供給最大流量で固定される。
【００１３】
また、本発明の気液混合体噴射装置は、さらに、圧縮気体の供給を停止する際の液体の流量（以下、「供給停止液体流量」と称す。）および圧縮気体の流量（以下、「供給停止気体流量」と称す。）を設定する供給停止流量設定手段を含み、制御手段が、液体流量センサーにより検出される液体の流量が供給停止液体流量以上の場合に、気体流量調整バルブを閉とするものであることが望ましい。これにより、液体流量センサーにより検出される液体の流量が供給停止液体流量以上の場合には、気液流体調整バルブが閉となるように制御され、気液混合体噴射装置に液体のみが供給されるようになる。
【発明の効果】
【００１４】
（１）気液混合体噴射装置に供給される液体の流量を検出する液体流量センサーと、気液混合体噴射装置に供給される圧縮気体の流量を検出する気体流量センサーと、気液混合体噴射装置に供給される圧縮気体の流量を調整する気体流量調整バルブと、圧縮気体の供給を開始する際の液体の流量（供給開始液体流量）および圧縮気体の流量（供給開始気体流量）を設定する供給開始流量設定手段と、圧縮気体の供給を最大とする際の液体の流量（供給最大液体流量）および圧縮気体の最大流量（供給最大気体流量）を設定する供給最大流量設定手段と、液体流量センサーにより検出される液体の流量が供給開始液体流量以上かつ供給最大液体流量以下の場合に、気体流量センサーにより検出される圧縮気体の流量が供給開始気体流量から供給最大気体流量までの間で液体の流量に応じて増加するように気体流量調整バルブを制御する制御手段とを含む構成により、気液混合体の用途に応じて圧縮気体の供給を開始する際の液体の供給開始液体流量および圧縮気体の供給開始気体流量と、圧縮気体の供給を最大とする際の液体の供給最大液体流量および圧縮気体の供給最大気体流量とを設定するだけで、液体の流量に対して最適な流量の圧縮気体を混合した気液混合体を得ることが可能となる。
【００１５】
（２）さらに、供給開始液体流量以上かつ供給最大液体流量以下の液体の流量（設定液体流量）および設定液体流量における圧縮気体の流量（設定気体流量）を設定する設定流量設定手段を含み、制御手段が、液体流量センサーにより検出される液体の流量が供給開始液体流量以上かつ設定液体流量以下の場合には、気体流量センサーにより検出される圧縮気体の流量が供給開始気体流量から設定気体流量までの間で液体の流量に応じて増加するように気体流量調整バルブを制御し、液体流量センサーにより検出される液体の流量が設定液体流量以上かつ供給最大液体流量以下の場合に、気体流量センサーにより検出される圧縮気体の流量が設定気体流量から供給最大気体流量までの間で液体の流量に応じて増加するように気体流量調整バルブを制御するものである構成により、気液混合体の用途に応じて、さらに、供給開始液体流量以上かつ供給最大液体流量以下の液体の設定液体流量およびこの設定液体流量における圧縮気体の設定気体流量を設定するだけで、液体の流量に対して設定気体流量を経て段階的に変化する最適な流量の圧縮気体を混合した気液混合体を得ることが可能となる。
【００１６】
（３）さらに、供給開始液体流量以上かつ供給最大液体流量以下の複数の液体の流量（設定液体流量）および複数の設定液体流量におけるそれぞれの圧縮気体の流量（設定気体流量）を設定する設定流量設定手段を含み、制御手段が、液体流量センサーにより検出される液体の流量が供給開始液体流量以上かつ複数の設定液体流量のうち最低の設定液体流量以下の場合には、気体流量センサーにより検出される圧縮気体の流量が供給開始気体流量から最低の設定気体流量までの間で液体の流量に応じて増加するように気体流量調整バルブを制御し、液体流量センサーにより検出される液体の流量が複数の設定液体流量のうち最大の設定液体流量以上かつ供給最大液体流量以下の場合には、気体流量センサーにより検出される圧縮気体の流量が最大の設定気体流量から供給最大気体流量までの間で液体の流量に応じて増加するように気体流量調整バルブを制御し、液体流量センサーにより検出される液体の流量が最低の設定液体流量以上かつ最大の設定液体流量以下の場合には、気体流量センサーにより検出される圧縮気体の流量が最低の設定気体流量から最大の設定気体流量までの間でそれぞれの設定気体流量におけるそれぞれの設定液体流量となるように液体の流量に応じて増加するように気体流量調整バルブを制御するものである構成により、気液混合体の用途に応じて、さらに、供給開始液体流量以上かつ供給最大液体流量以下の複数の液体の設定液体流量および複数の設定液体流量におけるそれぞれの圧縮気体の設定液体流量を設定するだけで、液体の流量に対して複数の設定気体流量を経て段階的に変化する最適な流量の圧縮気体を混合した気液混合体を得ることが可能となる。
【００１７】
（４）制御手段が、液体流量センサーにより検出される液体の流量が供給最大液体流量以上の場合に、気体流量センサーにより検出される圧縮気体の流量が供給最大気体流量となるように気体流量調整バルブを制御するものである構成により、液体流量センサーにより検出される液体の流量が供給最大液体流量以上の場合に、この液体の流量の増加に応じて圧縮気体の流量を増加させると、液体自体の流量増加に加えて圧縮気体の増加による気液混合体の噴射の勢いが激しくなりすぎるため、気液混合体噴射装置に供給される圧縮気体の流量を供給最大流量で固定することで、気液混合体の噴射の勢いを抑え、跳ね返りや騒音などを防止することが可能となる。
【００１８】
（５）さらに、圧縮気体の供給を停止する際の液体の流量（供給停止液体流量）および圧縮気体の流量（供給停止気体流量）を設定する供給停止流量設定手段を含み、制御手段が、液体流量センサーにより検出される液体の流量が供給停止液体流量以上の場合に、気体流量調整バルブを閉とするものである構成により、液体流量センサーにより検出される液体の流量が供給停止液体流量以上の場合には、気体の供給を停止し、気液混合体噴射装置に液体のみが供給されることで、気液混合体噴射装置を液体のみで使用することが可能となり、液体を溜める等の作業が容易となる。
【図面の簡単な説明】
【００１９】
【図１】本発明の実施の形態における気液混合体噴射装置の制御システムの概略構成図である。
【図２】図１の制御システムのブロック図である。
【図３】蛇口の開度とエアー供給量との関係を示す図である。
【図４】流量設定画面を示す図である。
【図５】流量設定画面を示す図である。
【発明を実施するための形態】
【００２０】
図１は本発明の実施の形態における気液混合体噴射装置の制御システムの概略構成図、図２は図１の制御システムのブロック図である。
【００２１】
図１において、本発明の実施の形態における制御システム１は、圧縮気体としての圧縮エアーと液体としての水とからなる気液混合体を形成する気液混合体噴射装置（以下、「噴射装置」と称す。）２を制御するものである。制御システム１は、噴射装置２に供給される水の流量を検出する液体流量センサー１０と、噴射装置２に供給される圧縮エアーの流量を検出する気体流量センサー１１と、噴射装置２に供給される圧縮エアーの流量を調整する気体流量調整バルブ１２とを備える。
【００２２】
噴射装置２は、例えば特許文献１に記載のものを使用することができる。噴射装置２は手動バルブとしての蛇口３に接続される。液体流量センサー１０は、蛇口３を通じて噴射装置２へ水を供給する水供給路４の途中に設けられる。気体流量センサー１１および気体流量調整バルブ１２は、噴射装置２へ圧縮エアーを供給する空気供給路５の途中に設けられる。空気供給路５には圧縮エアーを生成するコンプレッサーが接続されている。
【００２３】
また、制御システム１は、図２に示すように、液体流量センサー１０、気体流量センサー１１および気体流量調整バルブ１２が接続される制御手段１３と、各種設定値を記憶する記憶手段１４と、パーソナルコンピュータ（以下、「ＰＣ」と称す。）６と通信を行うための通信手段１５と、ＰＣ６に各種設定画面を提供し、入力された情報に基づいて各種設定を行う設定手段２０とを有する。なお、本実施形態においては、ＰＣ６と通信手段１５とは、無線ＬＡＮアクセスポイント７を通じて無線通信を行うが、有線通信を行う構成としても良い。
【００２４】
図３は蛇口３の開度とエアー供給量との関係を示す図、図４は設定手段２０によってＰＣ６に提供される流量設定画面３０を示す図である。制御手段システム１は、蛇口３の開度に応じて図３に示すように圧縮エアーの供給量を制御するものである。具体的には、制御システム１は、蛇口２の開度に応じて変化する水の流量を液体流量センサー１０により検出し、気体流量センサー１１により検出した圧縮エアーの流量が、検出した水の流量に応じて設定された圧縮エアーの流量となるように気体流量調整バルブ１２の開度を制御する。
【００２５】
設定手段２０は、圧縮エアーの供給を開始する際（図３の「供給開始」点）の水の流量（供給開始液体流量）および圧縮エアーの流量（供給開始気体流量）を設定する供給開始流量設定手段２１と、圧縮エアーの供給開始後（図３の「設定１」点および「設定２」点）の水の流量（設定液体流量）および圧縮エアーの流量（設定気体流量）を設定する設定流量設定手段２２と、圧縮エアーの供給を最大とする際（図３の「最大」点）の水の流量および圧縮エアーの最大流量を設定する供給最大流量設定手段２３と、圧縮エアーの供給を停止する際の水の流量（供給停止流体流量）および圧縮エアーの流量（供給停止気体流量）を設定する供給停止流量設定手段２４とを有する。
【００２６】
設定手段２０によりＰＣ６に提供される図４に示す流量設定画面３０において、供給開始流量設定ボタン３１をクリック（押下）すると、図５に示す流量設定画面４０がＰＣ６に提供される。この流量設定画面４０には、現在水量４１と設定エアー量４２が表示されており、上ボタン４３ａまたは下ボタン４３ｂをクリックすることで、設定エアー量を増減させることが可能となっている。
【００２７】
この流量設定画面４０による流量の設定は以下の手順により行う。
（１）蛇口３のハンドル３ａを捻り、現在水量４１を参照しながら水量を供給開始液体流量に調整する。なお、現在水量４１は１分間当たりの水量（リットル）を表している。
（２）上ボタン４３ａまたは下ボタン４３ｂにより設定エアー量４２を供給開始気体流量に調整する。なお、設定エアー量４２は気体流量調整バルブ１２の開度（％）を表している。
（３）設定ボタン４４をクリックすると、現在水量４１および設定エアー量４２がそれぞれ供給開始液体流量３１ａおよび供給開始気体流量３１ｂとして設定される。
（４）一方、戻るボタン４５をクリックすると、元の流量設定画面３０に戻る。
【００２８】
供給開始流量設定手段２１は、こうして設定された供給開始液体流量３１ａおよび供給開始気体流量３１ｂをそれぞれ圧縮エアーの供給を開始する際の水の流量（供給開始液体流量）および圧縮エアーの流量（供給開始気体流量）として設定する。
【００２９】
同様に、図４に示す流量設定画面３０において、第１設定流量設定ボタン３２、第２設定流量設定ボタン３３、供給最大流量設定ボタン３４または供給停止流量設定ボタン３５をクリックすると、図５と同様の流量設定画面４０がＰＣ６に提供される。図５における設定は前述と同様である。なお、第１設定流量設定ボタン３２により設定する第１の設定液体流量は、供給開始液体流量以上かつ供給最大液体流量以下とする。一方、第２設定流量設定ボタン３３により設定する第２の設定液体流量は、第１の設定液体流量以上かつ供給最大液体流量以下とする。
【００３０】
設定流量設定手段２２は、第１設定流量設定ボタン３２により設定された第１設定液体流量３２ａおよび第１設定気体流量３２ｂをそれぞれ第１の設定液体流量および第１の設定液体流量における第１の設定気体流量として設定する。また、設定流量設定手段２２は、第２設定流量設定ボタン３３により設定された第２設定液体流量３３ａおよび第２設定気体流量３３ｂをそれぞれ第２の設定液体流量および第２の設定液体流量における第２の設定気体流量として設定する。なお、本実施形態においては、設定流量設定手段２２は、設定液体流量およびその設定液体流量における設定気体流量として２つずつ値を設定する構成であるが、１つのみ設定する構成や３つ以上設定する構成とすることも可能である。あるいは、全く設定しない構成とすることも可能である。
【００３１】
また、供給最大流量設定手段２３は、供給最大流量設定ボタン３４により設定された供給最大液体流量３４ａおよび供給最大気体流量３４ｂをそれぞれ圧縮エアーの供給を最大とする際の水の流量（供給最大液体流量）および圧縮エアーの最大流量（供給最大気体流量）として設定する。供給停止流量設定手段２４は、供給停止流量設定ボタン３４により設定された供給停止液体流量３５ａおよび供給停止気体流量３５ｂをそれぞれ圧縮エアーの供給を停止する際の水の流量（供給停止液体流量）および圧縮エアーの流量（供給停止気体流量（０％））として設定する。そして、流量設定画面３０において登録ボタン３６がクリックされると、以上のように設定された各設定値が設定手段２０により記憶手段１４に記憶される。
【００３２】
制御手段１３は、液体流量センサー１０および気体流量センサー１１によりそれぞれ検出される水の流量および圧縮エアーの流量に基づき、以下のように気体流量調整バルブ１２を制御するものである。
【００３３】
制御手段１３は、液体流量センサー１０により検出される水の流量が供給開始液体流量３１ａ以上かつ供給最大液体流量３５ａ以下の場合（図３の「供給開始」点〜「最大」点）、気体流量センサー１１により検出される圧縮エアーの流量が供給開始気体流量３１ｂから供給最大気体流量３５ｂまでの間で水の流量に応じて一次関数的に増加するように気体流量調整バルブ１２を制御する。これにより、噴射装置２に供給される水の流量に応じて、すなわち、蛇口３の開度に応じて、噴射装置２に供給される圧縮エアーが一次関数的に増加する。
【００３４】
なお、本実施形態においては、供給開始液体流量３１ａと供給最大液体流量３５ａとの間に複数の設定液体流量３２ａ，３３ａが設定されているため、制御手段１３は液体流量センサー１０により検出される水の流量が供給開始液体流量３１ａ以上かつ複数の設定液体流量３２ａ，３３ａのうち最低の設定液体流量３２ａ以下の場合（図３の「供給開始」点〜「設定１」点）には、気体流量センサー１１により検出される圧縮エアーの流量が供給開始気体流量３１ｂから最低の設定気体流量３２ｂまでの間で水の流量に応じて一次関数的に増加するように気体流量調整バルブ１２を制御する。
【００３５】
また、制御手段１３は、液体流量センサー１０により検出される水の流量が複数の設定液体流量３２ａ，３３ａのうち最大の設定液体流量３３ａ以上かつ供給最大液体流量３４ａ以下の場合（図３の「設定２」点〜「最大」点）には、気体流量センサー１１により検出される圧縮エアーの流量が最大の設定気体流量３３ｂから供給最大気体流量３４ｂまでの間で水の流量に応じて一次関数的に増加するように気体流量調整バルブ１２を制御する。
【００３６】
さらに、制御手段１３は、液体流量センサー１０により検出される水の流量が最低の設定液体流量３２ａ以上かつ最大の設定液体流量３３ａ以下の場合（図３の「設定１」点〜「設定２」点）に、気体流量センサー１１により検出される圧縮エアーの流量が最低の設定気体流量３２ａから最大の設定気体流量３３ａまでの間でそれぞれの設定気体流量３２ａ，３３ａにおけるそれぞれの設定液体流量３２ｂ，３３ｂとなるように水の流量に応じて一次関数的に増加するように気体流量調整バルブ１２を制御する。なお、設定流量設定手段２２によって３つ以上の設定液体流量およびその設定液体流量における設定気体流量が設定されている場合も同様である。
【００３７】
また、制御手段１３は、液体流量センサー１０により検出される水の流量が供給最大液体流量３４ａ以上の場合（図３の「最大」点〜）に、気体流量センサー１１により検出される圧縮エアーの流量が供給最大気体流量３４ｂとなるように気体流量調整バルブ１２を制御する。これにより、噴射装置２に供給される水の流量に関わらず、噴射装置２に供給される圧縮エアーの流量は供給最大気体流量３４ｂで固定される。
【００３８】
但し、本実施形態においては、供給停止液体流量３５ａおよび供給停止気体流量３５ｂが設定されており、制御手段１３は、液体流量センサー１０により検出される水の流量が供給停止液体流量３５ａ以上の場合（図３の「停止」点〜）には、気体流量調整バルブ１２を閉とする。これにより、噴射装置２に供給される水の流量が供給停止液体流量３５ａ以上となった場合には、噴射装置２に圧縮エアーが供給されず、水のみが供給される。
【００３９】
以上のように、本実施形態における制御システム１では、気液混合体の用途に応じて圧縮エアーの供給を開始する際の水の供給開始液体流量３１ａおよび圧縮エアーの供給開始気体流量３１ｂと、圧縮エアーの供給を最大とする際の水の供給最大液体流量３４ａおよび圧縮エアーの供給最大気体流量３４ｂとを設定するだけで、水の流量に対して最適な流量の圧縮エアーを混合した気液混合体を得ることが可能である。
【００４０】
また、本実施形態における制御システムでは、気液混合体の用途に応じて、さらに供給開始液体流量３１ａ以上かつ供給最大液体流量３４ａ以下の水の設定液体流量３２ａ，３３ａおよびこの設定液体流量３２ａ，３３ａにおける圧縮エアーの設定気体流量３２ｂ，３３ｂを設定するだけで、水の流量に対して設定気体流量３２ｂ，３３ｂを経て段階的に変化する最適な流量の圧縮エアーを混合した気液混合体を得ることが可能である。
【００４１】
なお、上記実施形態においては、圧縮気体として圧縮エアーを、液体として水を使用した例について説明したが、その他の圧縮気体および液体を使用することも可能である。また、上記実施形態においては、圧縮エアーの流量を、「供給開始」点、「設定１」点、「設定２」点および「最大」点の各点間において、水の流量に応じて一次関数的に増加する構成としているが、増加量は一次関数に限定されるものではない。
【産業上の利用可能性】
【００４２】
本発明の制御システムは、圧縮気体と液体とからなる気液混合体を形成する気液混合体噴射装置の制御システムとして有用であり、特に、用途に応じて液体に対する最適な流量の圧縮気体を供給することが可能な気液混合体噴射装置の制御システムとして好適である。
【符号の説明】
【００４３】
１  制御システム
２  気液混合体噴射装置
３  蛇口
４  水供給路
５  空気供給路
６  パーソナルコンピュータ（ＰＣ）
７  無線ＬＡＮアクセスポイント
１０  液体流量センサー
１１  気体流量センサー
１２  気体流量調整バルブ
１３  制御手段
１４  記憶手段
１５  通信手段
２０  設定手段
２１  供給開始流量設定手段
２２  設定流量設定手段
２３  供給最大流量設定手段
２４  供給停止流量設定手段
【図１】
2017140570.tif 000003
【図２】
2017140570.tif 000004
【図３】
2017140570.tif 000005
【図４】
2017140570.tif 000006
【図５】
2017140570.tif 000007